(57)【要約】【課題】種々の支柱体に対して容易に取り付け可能な支柱体用アタッチメントを提供すること。【解決手段】起立する支柱体１０に支持対象物を支持させるための支柱体用アタッチメントＡ１であって、支柱体１０の頂部に上方から当接し得る天井部３０と、天井部３０につながり、支柱体１０の側方部に取り付けられる側方取付部４０と、を備える。【選択図】図３
2020029751.tif 000002
【特許請求の範囲】
【請求項１】
起立する支柱体に支持対象物を支持させるための支柱体用アタッチメントであって、
上記支柱体の頂部に上方から当接し得る天井部と、
上記天井部につながり、上記支柱体の側方部に取り付けられる側方取付部と、を備える、支柱体用アタッチメント。
【請求項２】
上記側方取付部は、上記天井部を挟んで対をなして設けられる、請求項１に記載の支柱体用アタッチメント。
【請求項３】
一対の上記側方取付部の間には、これら一対の上記側方取付部が近接ないし離間するように屈曲可能な屈曲部が設けられている、請求項２に記載の支柱体用アタッチメント。
【請求項４】
上記天井部は、平板状の第１板部を含み、
一対の上記側方取付部は、それぞれ平板状の第２板部を有し、
上記屈曲部は、上記第１板部と一対の上記第２板部それぞれとの間に対をなして設けられている、請求項３に記載の支柱体用アタッチメント。
【請求項５】
上記第１板部と一対の上記第２板部それぞれとの間に対をなして配置された平板状の第３板部を備え、
上記各屈曲部は、上記第１板部と上記第３板部との間、および上記第２板部と上記第３板部との間にそれぞれ設けられ、一対の上記側方取付部が離間する方向に対して直角である軸線周りに屈曲可能な一対のヒンジ部を含む、請求項４に記載の支柱体用アタッチメント。
【請求項６】
上記支柱体には、上下に延びる突起が設けられており、
上記各側方取付部には、上記突起と上下方向にスライド可能に嵌合し、かつ長手方向両端が開放する係合溝が形成されている、請求項３ないし５のいずれかに記載の支柱体用アタッチメント。
【請求項７】
上記各側方取付部において上記係合溝に対して上記天井部から離れた位置には、上記係合溝の上方へのスライド移動を阻止する係止部が設けられている、請求項６に記載の支柱体用アタッチメント。
【請求項８】
上記支柱体は、床面に載置されるベースと、当該ベースから起立する支柱部と、当該支柱部の上端に連結されるベルト収納ヘッドと、を含んで構成されたベルトパーティションスタンドであり、
上記突起は、上記ベルト収納ヘッドの外周に設けられたベルトエンド受け部により構成されており、横断面Ｔ字状である、請求項６または７に記載の支柱体用アタッチメント。
【請求項９】
上記支柱体に着脱可能に取り付けられる係合部材を備え、
上記係合部材は、上下に延びる突起を有し、
上記各側方取付部には、上記突起と上下方向にスライド可能に嵌合し、かつ長手方向両端が開放する係合溝が形成されている、請求項３ないし５のいずれかに記載の支柱体用アタッチメント。
【請求項１０】
上記係合部材に設けられ、上記支柱体に当接させられる緩衝部材をさらに備える、請求項９に記載の支柱体用アタッチメント。
【請求項１１】
上記各側方取付部において上記係合溝に対して上記天井部から離れた位置には、上記係合溝の上方へのスライド移動を阻止する係止部が設けられている、請求項９または１０に記載の支柱体用アタッチメント。
【請求項１２】
請求項１ないし１１のいずれかに記載の支柱体用アタッチメントと、上記支柱体アタッチメントに取り付けられて当該支柱体用アタッチメントに支持される取付構造物と、を備える、支柱体への取付構造物装着セット。
【発明の詳細な説明】
【技術分野】
【０００１】
本発明は、たとえば床面上などに起立する支柱体に取付構造物を装着するための支柱体用アタッチメントに関する。
【背景技術】
【０００２】
従来、金融機関やイベント会場などの様々な施設において、歩行者の通路規制などを行うために、ベルトパーティションスタンドが使用されている。ベルトパーティションスタンドは、たとえば、床面に載置されるベースと、このベースから起立する支柱と、支柱の上端に設けられたベルト収納ヘッドとを備えている（たとえば、特許文献１を参照）。ベルトパーティションスタンドの使用時には複数設置し、ベルト収納ヘッドから繰り出したベルトの先端を他のベルトパーティションスタンドに係止する。このようにすることで、隣接するベルトパーティションスタンドの相互間にベルトが張設され、歩行者の通路規制などを行うことができる。
【０００３】
上述したベルトパーティションスタンドに告知等を目的とする表示パネルを取り付ける場合がある。たとえば、特許文献２には、ベルトパーティションスタンドに取付具を装着し、この取付具に表示パネルを取り付ける例が記載されている。特許文献２に開示された表示パネルは、内側空間を有する筒状とされており、取付具をベルトパーティションスタンドの上部（ベルト収納ヘッド）に取り付けるとともに、表示パネルは、当該表示パネルの内側空間にベルト収納ヘッドが位置するように取付具に取り付けられる。このような構成によれば、表示パネルによってベルト収納ヘッドを覆うことが可能であり、表示パネルのディスプレイ効果を高めることができる。
【０００４】
しかしながら、上記従来の構成では、表示パネルの内側空間にベルト収納ヘッドを配置するため表示パネルの取り付け作業が煩わしく、また表示パネルの取り付けはベルトパーティションスタンドに限られる。ベルトパーティションスタンドの他にも様々な構造の支柱体へ表示パネル等を取り付けることができれば便利であり、汎用性の高い、支柱体への取付構造が望まれる。
【先行技術文献】
【特許文献】
【０００５】
【特許文献１】特許第３６９４７２３号公報
【特許文献２】特開２０１８−１００５２０号公報
【発明の概要】
【発明が解決しようとする課題】
【０００６】
本発明は、このような事情のもとで考え出されたものであって、種々の支柱体に対して容易に取り付け可能な支柱体用アタッチメントを提供することを主たる課題とする。
【課題を解決するための手段】
【０００７】
上記の課題を解決するため、本発明では、次の技術的手段を講じている。
【０００８】
本発明の第１の側面によって提供される支柱体用アタッチメントは、起立する支柱体に支持対象物を支持させるための支柱体用アタッチメントであって、上記支柱体の頂部に上方から当接し得る天井部と、上記天井部につながり、上記支柱体の側方部に取り付けられる側方取付部と、を備える。
【０００９】
好ましい実施の形態においては、上記側方取付部は、上記天井部を挟んで対をなして設けられる。
【００１０】
好ましい実施の形態においては、一対の上記側方取付部の間には、これら一対の上記側方取付部が近接ないし離間するように屈曲可能な屈曲部が設けられている。
【００１１】
好ましい実施の形態においては、上記天井部は、平板状の第１板部を含み、一対の上記側方取付部は、それぞれ平板状の第２板部を有し、上記屈曲部は、上記第１板部と一対の上記第２板部それぞれとの間に対をなして設けられている。
【００１２】
好ましい実施の形態においては、上記第１板部と一対の上記第２板部それぞれとの間に対をなして配置された平板状の第３板部を備え、上記各屈曲部は、上記第１板部と上記第３板部との間、および上記第２板部と上記第３板部との間にそれぞれ設けられ、一対の上記側方取付部が離間する方向に対して直角である軸線周りに屈曲可能な一対のヒンジ部を含む。
【００１３】
好ましい実施の形態においては、上記支柱体には、上下に延びる突起が設けられており、上記各側方取付部には、上記突起と上下方向にスライド可能に嵌合し、かつ長手方向両端が開放する係合溝が形成されている。
【００１４】
好ましい実施の形態においては、上記各側方取付部において上記係合溝に対して上記天井部から離れた位置には、上記係合溝の上方へのスライド移動を阻止する係止部が設けられている。
【００１５】
好ましい実施の形態においては、上記支柱体は、床面に載置されるベースと、当該ベースから起立する支柱部と、当該支柱部の上端に連結されるベルト収納ヘッドと、を含んで構成されたベルトパーティションスタンドであり、上記突起は、上記ベルト収納ヘッドの外周に設けられたベルトエンド受け部により構成されており、横断面Ｔ字状である。
【００１６】
好ましい実施の形態においては、上記支柱体に着脱可能に取り付けられる係合部材を備え、上記係合部材は、上下に延びる突起を有し、上記各側方取付部には、上記突起と上下方向にスライド可能に嵌合し、かつ長手方向両端が開放する係合溝が形成されている。
【００１７】
好ましい実施の形態においては、上記係合部材に設けられ、上記支柱体に当接させられる緩衝部材をさらに備える。
【００１８】
好ましい実施の形態においては、上記各側方取付部において上記係合溝に対して上記天井部から離れた位置には、上記係合溝の上方へのスライド移動を阻止する係止部が設けられている。
【００１９】
本発明の第２の側面によって提供される支柱体への取付構造物装着セットは、本発明の第１の側面に係る支柱体用アタッチメントと、上記支柱体アタッチメントに取り付けられて当該支柱体用アタッチメントに支持される取付構造物と、を備える。
【００２０】
本発明のその他の特徴および利点は、添付図面を参照して以下に行う詳細な説明によって、より明らかとなろう。
【図面の簡単な説明】
【００２１】
【図１】本発明に係る支柱体用アタッチメントを備えて構成された支柱体への取付構造物装着セットの第１実施形態を示す斜視図である。
【図２】本発明に係る支柱体用アタッチメントが用いられるベルトパーティションスタンドの一例を示す斜視図である。
【図３】図１に示す取付構造物装着セットの正面図である。
【図４】図３のＩＶ−ＩＶ線に沿う部分拡大断面図である。
【図５】図３のＶ−Ｖ線に沿う部分拡大断面図である。
【図６】図１に示す取付構造物装着セットの拡大分解斜視図である。
【図７】図１に示す取付構造物装着セットの拡大分解正面図である。
【図８】図１に示す支柱体用アタッチメントの平面図である。
【図９】図１に示す支柱体用アタッチメントの正面図である。
【図１０】図１に示す支柱体用アタッチメントの底面図である。
【図１１】図１に示す支柱体用アタッチメントの側面図である。
【図１２】図１に示す取付構造物装着セットの変形例を示す斜視図である。
【図１３】図１２に示す取付構造物装着セットの正面図である。
【図１４】図１３のＸＩＶ−ＸＩＶ線に沿う部分拡大断面図である。
【図１５】本発明に係る支柱体用アタッチメントを備えて構成された支柱体への取付構造物装着セットの第２実施形態を示す斜視図である。
【図１６】図１５に示す取付構造物装着セットの正面図である。
【図１７】図１６のＸＶＩＩ−ＸＶＩＩ線に沿う部分拡大断面図である。
【図１８】図１５に示す取付構造物装着セットの拡大分解斜視図である。
【図１９】図１５に示す取付構造物装着セットの拡大分解正面図である。
【図２０】本発明に係る支柱体用アタッチメントを備えて構成された支柱体への取付構造物装着セットの第３実施形態を示す斜視図である。
【図２１】図２０に示す取付構造物装着セットの正面図である。
【図２２】本発明に係る支柱体用アタッチメントの第４実施形態を示し、支柱体に取り付けた使用状態を示す斜視図である。
【図２３】図２２に示す支柱体用アタッチメントの正面図である。
【図２４】図２２に示す支柱体用アタッチメントの側面図である。
【図２５】図２２に示す支柱体用アタッチメントの底面図である。
【発明を実施するための形態】
【００２２】
以下、本発明の好ましい実施の形態について、図面を参照して具体的に説明する。
【００２３】
図１〜図７は、本発明に係る支柱体用アタッチメントを備えて構成された取付構造物装着セットの第１実施形態を示す。本実施形態の取付構造物装着セットＢ１は、支柱体用アタッチメントＡ１と、取付構造物２０と、を備え、支柱体としてのベルトパーティションスタンド１０に取り付けて使用するものである。図２は、ベルトパーティションスタンド１０の一例を示す。
【００２４】
図２に示すように、本実施形態のベルトパーティションスタンド１０は、ベース１１と、このベース１１から起立する支柱部１２と、支柱部１２に連結されるベルト収納ヘッド１３と、パーティションベルト１４と、を備えている。
【００２５】
ベース１１は、床面に載置される部材であり、平面視略円形の板状とされている。支柱部１２は、円柱状に形成されている。図示説明は省略するが、支柱部１２は、ベース１１に対して、たとえばねじを用いた締結によって着脱可能に連結されている。ベース１１には、一定幅の切欠き１１１が形成されている。この切欠き１１１の幅寸法は、支柱部１２の外径よりも少し大とされている。複数のベルトパーティションスタンド１０を収納する際には、支柱部１２が別のベルトパーティションスタンド１０の切欠き１１１に嵌り込むようにすると、収納スペースを縮小することができる。
【００２６】
ベルト収納ヘッド１３は、支柱部１２の上端に連結されており、円筒状の外形を有している。ベルト収納ヘッド１３の外周直径は支柱部１２の外周直径よりも大きくなっている。ベルト収納ヘッド１３の軸方向における長さは、たとえば１５ｃｍ程度とされる。ベルト収納ヘッド１３は、パーティションベルト１４を収容する。なお、図示説明は省略するが、ベルト収納ヘッド１３は、支柱部１２に対して、たとえばねじを用いた締結によって着脱可能に連結されている。
【００２７】
パーティションベルト１４は、ベルト収納ヘッド１３に設けられたスリット状のベルト導出部１３１を通じてベルト収納ヘッド１３の外部に繰り出し可能とされている。ベルト収納ヘッド１３内部の詳細な図示は省略するが、パーティションベルト１４は、たとえば、その基端部がベルト収納ヘッド１３内に設けられたリールの巻軸に固定され、かつベルト全体がこの巻軸に巻回されており、付勢手段によって巻き取り方向に付勢されている。パーティションベルト１４の先端部には、ベルトエンド１４１が設けられている。ベルトエンド１４１は、概略円柱状とされており、このベルトエンド１４１の下端から上端近傍にかけて横断面略Ｔ字状の溝が形成されている。なお、上記のようなパーティションベルト１４が繰り出し可能に収納される構造自体は、周知の技術（たとえば実用新案登録第３００８７６２号公報に記載の技術）によって実現される。
【００２８】
ベルト収納ヘッド１３の外面には、複数のベルトエンド受け部１３２が設けられている。これらベルトエンド受け部１３２は、上記ベルト導出部１３１に対して周方向に９０°ずつずれた３箇所に位置している。各ベルトエンド受け部１３２は、軸方向に沿って一定長さ延びるようにして横断面略Ｔ字状に形成されており、ベルトエンド１４１に設けられた溝に嵌合可能となっている。ベルトパーティションスタンド１０の使用時には、パーティションベルト１４を繰り出すとともに、当該パーティションベルト１４のベルトエンド１４１の溝に他のベルトパーティションスタンド１０のベルトエンド受け部１３２を嵌合させる。これにより、隣接するベルトパーティションスタンド１０の相互間にパーティションベルト１４を張設することができる。
【００２９】
図１、図３〜図７に示すように、支柱体用アタッチメントＡ１は、ベルトパーティションスタンド１０に取付構造物２０を取り付ける際に用いられるものである。支柱体用アタッチメントＡ１は、天井部３０と、一対の側方取付部４０と、屈曲部５０と、を備えている。
【００３０】
天井部３０は、第１板部３１および接続部３２を有する。第１板部３１は、所定厚さを有する平板状とされており、天井部３０の主要部分である。図５、図８、図１０に示すように、第１板部３１の中央には、座ぐり穴３１１および貫通孔３１２が形成されている。接続部３２は、取付構造物２０を取り付けるための接続構造部分である。図５〜図７に示すように、接続部３２は、たとえば皿小ねじなどのねじ軸部材３２１と、ねじ軸部材３２１に螺合するナット部材３２２とを有する。
【００３１】
一対の側方取付部４０は、天井部３０を挟んで対をなして設けられている。これら側方取付部４０は、ベルトパーティションスタンド１０の側方部に取り付けられる部位である。
【００３２】
図８〜図１１に示すように、側方取付部４０は、第２板部４１と、係合溝４２と、係止部４３と、凸部４４と、を有する。第２板部４１は、所定厚さを有する平板状とされており、側方取付部４０の主要部分である。
【００３３】
係合溝４２は、一対の側方取付部４０が互いに離れる方向に沿って形成されている。係合溝４２は、第２板部４１の一方の面４１ａから突出する部位に形成されている。係合溝４２は、ベルトパーティションスタンド１０のベルトエンド１４１に形成された溝と同様に横断面略Ｔ字状とされており、ベルトパーティションスタンド１０のベルトエンド受け部１３２が嵌合可能となっている。係合溝４２は、その長手方向の両端が開放している。図１、図４、図６等から理解されるように、支柱体用アタッチメントＡ１をベルトパーティションスタンド１０に取り付けた状態において、係合溝４２は上下方向に沿って延びている。そして、係合溝４２は、ベルトエンド受け部１３２と上下方向にスライド可能に嵌合する。ベルトエンド受け部１３２は、本発明で言う突起に相当する。
【００３４】
図１、図３、図４等に示した係止部４３は、支柱体用アタッチメントＡ１をベルトパーティションスタンド１０に取り付けた状態において、係合溝４２の上方へのスライド移動を阻止するものである。係止部４３は、各側方取付部４０において係合溝４２に対して天井部３０から離れた位置に設けられている。図８、図１０に示すように、本実施形態において、第２板部４１には厚さ方向に貫通するねじ孔４３１が形成されており、係止部４３は、たとえば上記ねじ孔４３１に螺合されたユリアねじである。なお、図８〜図１１において係止部４３を省略している。
【００３５】
凸部４４は、第２板部４１の他方の面４１ｂから突出しており、一対の側方取付部４０が互いに離れる方向に沿って形成されている。凸部４４は、横断面略Ｔ字状とされており、ベルトパーティションスタンド１０のベルトエンド１４１に形成された溝に嵌合可能となっている。
【００３６】
本実施形態において、各側方取付部４０は、平板状の第３板部６１を介して天井部３０につながっている。具体的には、第３板部６１は、天井部３０の第１板部３１と一対の側方取付部４０における一対の第２板部４１それぞれとの間に対をなして配置されている。
【００３７】
屈曲部５０は、一対の側方取付部４０の間に設けられており、一対の側方取付部４０が近接ないし離間するように屈曲可能な部位である。本実施形態において、屈曲部５０は、天井部３０の第１板部３１と一対の側方取付部４０における一対の第２板部４１それぞれとの間に対をなして設けられている。より具体的には、図８〜図１０に示すように、各屈曲部５０は、第１板部３１と第３板部６１との間、および第２板部４１と第３板部６１との間にそれぞれ設けられた一対のヒンジ部５１を含む。各ヒンジ部５１は、一対の側方取付部４０が離間する方向ｘに対して直角である軸線Ｏｙ周りに屈曲可能である。
【００３８】
図１、図３、図５〜図７に示すように、取付構造物２０は、支柱体用アタッチメントＡ１に取り付けられて当該支柱体用アタッチメントＡ１に支持される。本実施形態において、取付構造物２０は、平板状のパネル９０を支持固定するためのものである。取付構造物２０は、たとえば連結部２１と、ベース部２２と、押圧部２３と、ねじ部２４とを備えて構成されている。
【００３９】
連結部２１は、支柱体用アタッチメントＡ１の接続部３２により当該支柱体用アタッチメントＡ１と連結固定される部分である。連結部２１は、概略水平方向に延びており、断面略コの字状である。図５に示すように、連結部２１の中央には貫通孔２１１が形成されている。この貫通孔２１１にねじ軸部材３２１が挿通され、かつねじ軸部材３２１にナット部材３２２が締め付けられる。このようにして、連結部２１は、支柱体用アタッチメントＡ１の天井部３０（第１板部３１）上に重なる状態で第１板部３１に連結固定される。
【００４０】
ベース部２２は、概略水平方向に長状に延びており、断面略コの字状とされている。
押圧部２３は、概略水平方向に長状に延びており、ベース部２２の内側空間に配置されている。押圧部２３は、断面略コの字状とされている。ねじ部２４は、押圧部２３をベース部２２側に向けて押圧するためのねじ軸部材である。ねじ部２４は、たとえば押圧部２３の長手方向において離れた２箇所以上に設けられ、ねじ部２４を締め付けることによって、ベース部２２と押圧部２３の間にパネル９０を挟み付けて固定する。
【００４１】
取付構造物２０をベルトパーティションスタンド１０に取り付ける場合、まず、支柱体用アタッチメントＡ１に取付構造物２０を取り付ける。図５を参照して上述したように、取付構造物２０の支柱体用アタッチメントＡ１への取り付けは、取付構造物２０の連結部２１と支柱体用アタッチメントＡ１の天井部３０（第１板部３１）とを重ね合わせ、これら連結部２１および第１板部３１を接続部３２（ねじ軸部材３２１およびナット部材３２２）により連結固定する。
【００４２】
次いで、取付構造物２０が取り付けられた支柱体用アタッチメントＡ１を、ベルトパーティションスタンド１０（支柱体）に取り付ける。ベルトパーティションスタンド１０への支柱体用アタッチメントＡ１の取り付けは、支柱体用アタッチメントＡ１の各側方取付部４０の係合溝４２にベルトパーティションスタンド１０のベルトエンド受け部１３２が嵌まるように当該各側方取付部４０を位置合わせしつつ、支柱体用アタッチメントＡ１を下方にスライドさせることにより行う。一対の側方取付部４０の間に屈曲部５０が介在することにより、これら側方取付部４０の間の距離をベルトパーティションスタンド１０（ベルト収納ヘッド１３）の太さに合うように調整することが可能である。支柱体用アタッチメントＡ１が所定距離下方へ移動すると、天井部３０（第１板部３１）がベルトパーティションスタンド１０のベルト収納ヘッド１３（支柱体の頂部）に上方から当接し、下方へのスライド移動が止まる。ここで、係止部４３を各側方取付部４０のねじ孔４３１に螺合する。これにより、図１に示すように、取付構造物２０は、支柱体用アタッチメントＡ１を介してベルトパーティションスタンド１０によって支持される。
【００４３】
次に、本実施形態の作用について説明する。
【００４４】
本実施形態の支柱体用アタッチメントＡ１は、天井部３０と、天井部３０につながる側方取付部４０と、を備える。側方取付部４０はベルトパーティションスタンド１０（支柱体）の側方部に取り付けられ、天井部３０はベルトパーティションスタンド１０のベルト収納ヘッド１３（頂部）に上方から当接し得る。ベルトパーティションスタンド１０への支柱体用アタッチメントＡ１の取り付け時において、当該支柱体用アタッチメントＡ１は、側方取付部４０によりベルトパーティションスタンド１０に対する位置決めが図られつつ、ベルトパーティションスタンド１０の頂部に支持される。このような構成の支柱体用アタッチメントＡ１は、ベルトパーティションスタンド１０に対して容易に取り付け可能である。
【００４５】
本実施形態において、側方取付部４０は、天井部３０を挟んで対をなして設けられている。このような構成によれば、ベルトパーティションスタンド１０に対する支柱体用アタッチメントＡ１の取り付け状態が安定する。
【００４６】
本実施形態において、一対の側方取付部４０の間には、これら一対の側方取付部４０が近接ないし離間するように屈曲可能な屈曲部５０が設けられている。このような構成によれば、ベルトパーティションスタンド１０（ベルト収納ヘッド１３）の太さに応じて、一対の側方取付部４０の間の距離を調整しながら、ベルトパーティションスタンド１０に支柱体用アタッチメントＡ１を容易に取り付けることが可能である。
【００４７】
天井部３０は平板状の第１板部３１を含んでおり、各側方取付部４０は、平板状の第２板部４１を有する。また、屈曲部５０は、天井部３０の第１板部３１と一対の側方取付部４０における一対の第２板部４１それぞれとの間に対をなして設けられている。このような構成によれば、各側方取付部４０のベルトパーティションスタンド１０への取付状態および天井部３０のベルトパーティションスタンド１０への当接状態が安定する。加えて、一対の側方取付部４０に対応して設けられた一対の屈曲部５０により、一対の側方取付部４０をバランス良くベルトパーティションスタンド１０に取り付けることができる。
【００４８】
本実施形態において、第１板部３１と一対の第２板部４１それぞれとの間に対をなして配置された平板状の第３板部６１を備える。各屈曲部５０は、第１板部３１と第３板部６１との間、および第２板部４１と第３板部６１との間にそれぞれ設けられた一対のヒンジ部５１を含む。各ヒンジ部５１は、一対の側方取付部４０が離間する方向ｘに対して直角である軸線Ｏｙ周りに屈曲可能である。このようなヒンジ部５１を有する構成によれば、一対の側方取付部４０が互いに対向する姿勢を容易にとらせることができ、ベルトパーティションスタンド１０に支柱体用アタッチメントＡ１をより簡単に取り付けることが可能である。
【００４９】
ベルトパーティションスタンド１０には、上下に延びるベルトエンド受け部１３２（突起）が設けられている。各側方取付部４０には係合溝４２が設けられており、当該係合溝４２は、ベルトエンド受け部１３２と上下方向にスライド可能に嵌合する。このような構成によれば、ベルトエンド受け部１３２が設けられたベルトパーティションスタンド１０に対し、支柱体用アタッチメントＡ１を容易に支持させることができる。
【００５０】
また、一対の側方取付部４０をベルト収納ヘッド１３に取り付ける際、ベルト収納ヘッド１３の外周直径に応じて一対の側方取付部４０の間の距離が適宜調整される。そして、一対の側方取付部４０の間の距離が比較的小さいと、ベルトエンド受け部１３２（突起）と係合溝４２との嵌合長さが相対的に大きくなり、一対の側方取付部４０の間の距離が比較的大きいと、ベルトエンド受け部１３２（突起）と係合溝４２との嵌合長さが相対的に小さくなる。本実施形態では、係合溝４２の長手方向両端が開放している。このため、ベルト収納ヘッド１３の外周直径が種々異なる場合でも、ベルトエンド受け部１３２（突起）と係合溝４２とは、上下方向の相対動に制約を受けることなく所望の嵌合長さにすることが可能であり、支柱体用アタッチメントＡ１の安定した取り付けが実現する。
【００５１】
各側方取付部４０には、係合溝４２の上方へのスライド移動を阻止する係止部４３が設けられている。このような構成によれば、係合溝４２がベルトエンド受け部１３２（突起）から不用意に外れることは防止される。
【００５２】
図１２〜図１４は、上記第１実施形態の変形例を示している。本変形例の取付構造物装着セットＢ１’は、支柱体用アタッチメントＡ１と、取付構造物２０と、を備え、ベルトパーティションスタンド１０に取り付けて使用するものである。本変形例の取付構造物装着セットＢ１’は、上記の取付構造物装着セットＢ１と比べて取付構造物２０の構成が異なる。取付構造物装着セットＢ１’の他の構成については、上記の取付構造物装着セットＢ１と実質的に同一である。なお、図１２以降の図においては、上記実施形態と同一または類似の要素には、同一の符号を付しており、適宜説明を省略する。
【００５３】
本変形例において、取付構造物２０は、フレーム２５およびトレイ２６を備えて構成されており、物品を置いて使用するためのものである。フレーム２５は、支柱体用アタッチメントＡ１の接続部３２により当該支柱体用アタッチメントＡ１と連結固定される部分である。フレーム２５は、トレイ２６を支持するとともに背面側において上方に起立する部分を有する。フレーム２５の適所には貫通孔２５１が形成されている。この貫通孔２５１は、接続部３２により支柱体用アタッチメントＡ１と連結固定するため利用される。トレイ２６は、受け皿状とされており、フレーム２５支持固定されている。
【００５４】
例の取付構造物装着セットＢ１’においても、上記の取付構造物装着セットＢ１に関して説明したのと同様の作用効果を奏することができる。また、取付構造物２０がトレイ２６を具備する構成によれば、たとえば取付構造物装着セットＢ１’を建物の入口等に配置し、消毒用の薬剤が入ったボトルをトレイ２６（取付構造物２０）上に置くといった使用が可能である。このように、取付構造物２０は、この取付構造物２０により支持すべき物品の相違に応じて種々の形態を取り得る。
【００５５】
図１５〜図１９は、本発明に係る支柱体用アタッチメントおよび取付構造物装着セットの第２実施形態を示している。本実施形態の取付構造物装着セットＢ２は、支柱体用アタッチメントＡ２と、取付構造物２０と、を備え、支柱体としての円柱状支柱１０’に取り付けて使用するものである。本実施形態においては、円柱状支柱１０’および支柱体用アタッチメントＡ２の具体的構成が上記実施形態（ベルトパーティションスタンド１０および支柱体用アタッチメントＡ１）の対応する要素と異なっている。ただし、取付構造物２０の構成については、上記の取付構造物装着セットＢ１の場合と実質的に同一である。
【００５６】
本実施形態の円柱状支柱１０’は、ベース１１と、このベース１１から起立する支柱部１２と、支柱部１２に連結される上部ヘッド１３’と、を備えている。
【００５７】
ベース１１および支柱部１２の構成は、上記実施形態のベルトパーティションスタンド１０におけるベース１１および支柱部１２と同様である。上部ヘッド１３’は、支柱部１２の上端に連結されており、太さが略一様の円柱状である。上部ヘッド１３’の外周直径は支柱部１２の外周直径よりも大きくなっている。本実施形態では、上記実施形態のベルトパーティションスタンド１０と異なり、ベルトエンド受け部１３２を具備していない。
【００５８】
本実施形態の支柱体用アタッチメントＡ２は、上記したベルトエンド受け部１３２を具備しないことに対応させて、係合部材７０を追加的に備えている。図１８、図１９に示すように、係合部材７０は、一対の側方取付部４０に対応して対をなして設けられる。係合部材７０は、基部７１と、突起７２と、取付孔７３と、を有する。基部７１は、一定方向（図中上下方向）に延びるブロック状とされている。突起７２は、基部７１につながり、上下方向に所定長さ延びている。突起７２は、側方取付部４０の係合溝４２に嵌合可能となっている。取付孔７３は、基部７１において上下に離間して形成されている。本実施形態において、係合部材７０は、たとえば所定の強度を有する合成樹脂により一体形成されている。
【００５９】
本実施形態において、係合部材７０には緩衝部材８０が設けられている。緩衝部材８０は、基部７１において突起７２が形成された面と反対側の内側面に固定されている。緩衝部材８０は、たとえば、ウレタンまたはポリエチレン製の発泡材からなり、外力で容易に変形させることができる。
【００６０】
係合部材７０は、円柱状支柱１０’の上部ヘッド１３’に対して着脱可能に取り付けられる。上部ヘッド１３’への係合部材７０の取り付けは、たとえば結束バンド８１を用いて行う。図１８に示した一対の結束バンド８１を、一対の係合部材７０それぞれの取付孔７３に通し、かつ上部ヘッド１３’を囲んで締め付ける。ここで、一対の係合部材７０を、上部ヘッド１３’（円柱状支柱１０’）の中心軸を間に挟むように配置する。このようにして、一対の係合部材７０が上部ヘッド１３’（円柱状支柱１０’）に取り付けられる（図１６参照）。なお、図１５、図１７、図１９においては、結束バンド８１を省略している。また、本実施形態において、側方取付部４０の係止部４３は省略している。
【００６１】
本実施形態の支柱体用アタッチメントＡ２は、天井部３０と、天井部３０につながる側方取付部４０と、を備える。側方取付部４０は円柱状支柱１０’（支柱体）の側方部に取り付けられ、天井部３０は円柱状支柱１０’の上部ヘッド１３’（頂部）に上方から当接し得る。円柱状支柱１０’への支柱体用アタッチメントＡ２の取り付け時において、当該支柱体用アタッチメントＡ２は、側方取付部４０により円柱状支柱１０’に対する位置決めが図られつつ、円柱状支柱１０’の頂部に支持される。このような構成の支柱体用アタッチメントＡ２は、円柱状支柱１０’に対して容易に取り付け可能である。
【００６２】
本実施形態において、側方取付部４０は、天井部３０を挟んで対をなして設けられている。このような構成によれば、円柱状支柱１０’に対する支柱体用アタッチメントＡ２の取り付け状態が安定する。
【００６３】
本実施形態において、一対の側方取付部４０の間には、これら一対の側方取付部４０が近接ないし離間するように屈曲可能な屈曲部５０が設けられている。このような構成によれば、円柱状支柱１０’（上部ヘッド１３’）の太さに応じて、一対の側方取付部４０の間の距離を調整しながら、円柱状支柱１０’に支柱体用アタッチメントＡ２を容易に取り付けることが可能である。
【００６４】
天井部３０は平板状の第１板部３１を含んでおり、各側方取付部４０は、平板状の第２板部４１を有する。また、屈曲部５０は、天井部３０の第１板部３１と一対の側方取付部４０における一対の第２板部４１それぞれとの間に対をなして設けられている。このような構成によれば、各側方取付部４０の円柱状支柱１０’への取付状態および天井部３０の円柱状支柱１０’への当接状態が安定する。加えて、一対の側方取付部４０に対応して設けられた一対の屈曲部５０により、一対の側方取付部４０をバランス良く円柱状支柱１０’に取り付けることができる。
【００６５】
本実施形態において、第１板部３１と一対の第２板部４１それぞれとの間に対をなして配置された平板状の第３板部６１を備える。各屈曲部５０は、第１板部３１と第３板部６１との間、および第２板部４１と第３板部６１との間にそれぞれ設けられた一対のヒンジ部５１を含む。各ヒンジ部５１は、一対の側方取付部４０が離間する方向ｘに対して直角である軸線Ｏｙ周りに屈曲可能である（図８〜図１０参照）。このようなヒンジ部５１を有する構成によれば、一対の側方取付部４０が互いに対向する姿勢を容易にとらせることができ、円柱状支柱１０’に支柱体用アタッチメントＡ２をより簡単に取り付けることが可能である。
【００６６】
本実施形態の支柱体用アタッチメントＡ２は、係合部材７０を備えている。係合部材７０は、円柱状支柱１０’に着脱可能に取り付けられ、上下に延びる突起７２を有する。各側方取付部４０に設けられた係合溝４２は、突起７２と上下方向にスライド可能に嵌合する。このような構成によれば、上記実施形態と異なり円柱状支柱１０’（上部ヘッド１３’）が突起を具備しない場合においても、追加的に設けられた係合部材７０によって、支柱体用アタッチメントＡ２を円柱状支柱１０’に容易に取り付けることができる。
【００６７】
係合部材７０には、円柱状支柱１０’（支柱体）に当接させられる緩衝部材８０が設けられている。このような構成によれば、円柱状支柱１０’への係合部材７０の取り付け時に当該係合部材７０の位置ずれ等を防止することができる。したがって、係合部材７０を含んで構成された支柱体用アタッチメントＡ２を、円柱状支柱１０’に適切に取り付けることが可能となる。
【００６８】
また、係合部材７０を介して一対の側方取付部４０を上部ヘッド１３’に取り付ける際、上部ヘッド１３’の外周直径に応じて一対の側方取付部４０の間の距離が適宜調整される。そして、一対の側方取付部４０の間の距離が比較的小さいと、係合部材７０における突起７２と係合溝４２との嵌合長さが相対的に大きくなり、一対の側方取付部４０の間の距離が比較的大きいと、突起７２と係合溝４２との嵌合長さが相対的に小さくなる。本実施形態では、係合溝４２の長手方向両端が開放している。このため、上部ヘッド１３’の外周直径が種々異なる場合でも、突起７２と係合溝４２とは、上下方向の相対動に制約を受けることなく所望の嵌合長さにすることが可能であり、支柱体用アタッチメントＡ２の安定した取り付けが実現する。
【００６９】
図２０、図２１は、本発明に係る支柱体用アタッチメントおよび取付構造物装着セットの第３実施形態を示している。本実施形態の取付構造物装着セットＢ３は、支柱体用アタッチメントＡ２と、取付構造物２０と、を備え、支柱体としての三角コーン１０”に取り付けて使用するものである。本実施形態においては、三角コーン１０”の具体的構成が上記第２実施形態の対応する要素（円柱状支柱１０’）と異なっている。ただし、支柱体用アタッチメントＡ２および取付構造物２０の構成については、上記の取付構造物装着セットＢ２の場合と実質的に同一である。
【００７０】
本実施形態の三角コーン１０”は、床面や地面に載置される基台１５と、この基台１５上に設けられた錐形状部１６を有する。本実施形態において、錐形状部１６は、中空状の概略円錐形状とされている。なお、図示説明は省略するが、基台１５上に、錐形状部１６を囲う錘部材を載置してもよい。
【００７１】
本実施形態の支柱体用アタッチメントＡ２は、上記第２実施形態の場合と同様に係合部材７０を含んで構成されており、係合部材７０には緩衝部材８０が設けられている。係合部材７０は、三角コーン１０”における錐形状部１６の上端付近に着脱可能に取り付けられる。錐形状部１６への係合部材７０の取り付けは、たとえば結束バンド８１を用いて行う。図２１に示した一対の結束バンド８１を、一対の係合部材７０にそれぞれの取付孔７３（図示略）に通し、かつ錐形状部１６の上端付近を囲んで締め付ける。ここで、一対の係合部材７０を、錐形状部１６（三角コーン１０”）の中心軸を間に挟むように配置する。このようにして、一対の係合部材７０が錐形状部１６（三角コーン１０”）に取り付けられる。なお、図２０においては、結束バンド８１を省略している。
【００７２】
本実施形態の支柱体用アタッチメントＡ２は、天井部３０と、天井部３０につながる側方取付部４０と、を備える。側方取付部４０は三角コーン１０”（支柱体）の側方部に取り付けられ、天井部３０は三角コーン１０”の錐形状部１６の上端（頂部）に上方から当接し得る。本実施形態では、傾斜状の錐形状部１６に対する係合部材７０の取付位置に応じて側方取付部４０および天井部３０の高さ位置が決まり、係合部材７０の上端に天井部３０が当接している。三角コーン１０”への支柱体用アタッチメントＡ２の取り付け時において、当該支柱体用アタッチメントＡ２は、側方取付部４０および係合部材７０により三角コーン１０”に対する位置決めが図られつつ、錐形状部１６（三角コーン１０”）に支持される。このような構成の支柱体用アタッチメントＡ２は、三角コーン１０”に対して容易に取り付け可能である。
【００７３】
本実施形態において、側方取付部４０は、天井部３０を挟んで対をなして設けられている。このような構成によれば、三角コーン１０”に対する支柱体用アタッチメントＡ２の取り付け状態が安定する。
【００７４】
本実施形態において、一対の側方取付部４０の間には、これら一対の側方取付部４０が近接ないし離間するように屈曲可能な屈曲部５０が設けられている。このような構成によれば、三角コーン１０”（錐形状部１６）の太さに応じて、一対の側方取付部４０の間の距離を調整しながら、三角コーン１０”に支柱体用アタッチメントＡ２を容易に取り付けることが可能である。
【００７５】
天井部３０は平板状の第１板部３１を含んでおり、各側方取付部４０は、平板状の第２板部４１を有する。また、屈曲部５０は、天井部３０の第１板部３１と一対の側方取付部４０における一対の第２板部４１それぞれとの間に対をなして設けられている。このような構成によれば、各側方取付部４０の三角コーン１０”への取付状態が安定する。また、天井部３０が三角コーン１０”（錐形状部１６）の頂部に当接する場合、天井部３０の錐形状部１６頂部への当接状態が安定する。加えて、一対の側方取付部４０に対応して設けられた一対の屈曲部５０により、一対の側方取付部４０をバランス良く三角コーン１０”に取り付けることができる。
【００７６】
本実施形態において、第１板部３１と一対の第２板部４１それぞれとの間に対をなして配置された平板状の第３板部６１を備える。各屈曲部５０は、第１板部３１と第３板部６１との間、および第２板部４１と第３板部６１との間にそれぞれ設けられた一対のヒンジ部５１を含む。各ヒンジ部５１は、一対の側方取付部４０が離間する方向ｘに対して直角である軸線Ｏｙ周りに屈曲可能である（図８〜図１０参照）。このようなヒンジ部５１を有する構成によれば、一対の側方取付部４０が互いに対向する姿勢を容易にとらせることができ、三角コーン１０”に支柱体用アタッチメントＡ２をより簡単に取り付けることが可能である。
【００７７】
本実施形態の支柱体用アタッチメントＡ２は、係合部材７０を備えている。係合部材７０は、三角コーン１０”に着脱可能に取り付けられ、上下に延びる突起７２を有する。各側方取付部４０に設けられた係合溝４２は、突起７２と上下方向にスライド可能に嵌合する。このような構成によれば、上記第１実施形態と異なり三角コーン１０”（錐形状部１６）が突起を具備しない場合においても、追加的に設けられた係合部材７０によって、支柱体用アタッチメントＡ２を三角コーン１０”に容易に取り付けることができる。
【００７８】
係合部材７０には、傾斜状の錐形状部１６（支柱体）に当接させられる緩衝部材８０が設けられている。このような構成によれば、錐形状部１６（三角コーン１０”）への係合部材７０の取り付け時に当該係合部材７０の位置ずれ等を防止することができる。したがって、係合部材７０を含んで構成された支柱体用アタッチメントＡ２を、錐形状部１６（三角コーン１０”）に適切に取り付けることが可能となる。
【００７９】
また、係合部材７０を介して一対の側方取付部４０を錐形状部１６に取り付ける際、錐形状部１６の外周直径に応じて一対の側方取付部４０の間の距離が適宜調整される。そして、一対の側方取付部４０の間の距離が比較的小さいと、係合部材７０における突起７２と係合溝４２との嵌合長さが相対的に大きくなり、一対の側方取付部４０の間の距離が比較的大きいと、突起７２と係合溝４２との嵌合長さが相対的に小さくなる。本実施形態では、係合溝４２の長手方向両端が開放している。このため、錐形状部１６の外周直径が種々異なる場合でも、突起７２と係合溝４２とは、上下方向の相対動に制約を受けることなく所望の嵌合長さにすることが可能であり、支柱体用アタッチメントＡ２の安定した取り付けが実現する。
【００８０】
図２２〜図２５は、本発明に係る支柱体用アタッチメントの第４実施形態を示している。図２２に示すように、本実施形態の支柱体用アタッチメントＡ４は、支柱体としてのベルトパーティションスタンド１０に取り付けて使用するものである。
【００８１】
本実施形態の支柱体用アタッチメントＡ４は、天井部３０および側方取付部４０を備えている。上記実施形態では一対の側方取付部４０を具備していたが、本実施形態では単一の側方取付部４０のみを備える。また、支柱体用アタッチメントＡ４は、上記実施形態と異なり、屈曲部を具備していない。
【００８２】
天井部３０は平板状とされており、たとえば金属製の薄板である。天井部３０の適所には、一対の貫通孔３３が形成されている。側方取付部４０は、天井部３０から直角に折れ曲がってつながる金属製の薄板部分４０Ａと、この薄板部分の内側面に固定された樹脂成形部分４０Ｂとを有する。樹脂成形部分４０Ｂは、係合溝４２を有する。係合溝４２は、ベルトパーティションスタンド１０のベルトエンド１４１に形成された溝と同様に横断面略Ｔ字状とされており、ベルトパーティションスタンド１０のベルトエンド受け部１３２が嵌合可能となっている。係合溝４２は、その長手方向の両端が開放している。図２２から理解されるように、支柱体用アタッチメントＡ４をベルトパーティションスタンド１０に取り付けた状態において、係合溝４２は上下方向に沿って延びている。そして、係合溝４２は、ベルトエンド受け部１３２と上下方向にスライド可能に嵌合する。
【００８３】
本実施形態の支柱体用アタッチメントＡ４は、天井部３０と、天井部３０につながる側方取付部４０と、を備える。側方取付部４０はベルトパーティションスタンド１０（支柱体）の側方部に取り付けられ、天井部３０はベルトパーティションスタンド１０のベルト収納ヘッド１３（頂部）に上方から当接し得る。ベルトパーティションスタンド１０への支柱体用アタッチメントＡ４の取り付け時において、当該支柱体用アタッチメントＡ４は、側方取付部４０によりベルトパーティションスタンド１０に対する位置決めが図られつつ、ベルトパーティションスタンド１０の頂部に支持される。このような構成の支柱体用アタッチメントＡ４は、ベルトパーティションスタンド１０に対して容易に取り付け可能である。
【００８４】
本実施形態の支柱体用アタッチメントＡ４によれば、たとえば天井部３０に物品を載置し、この天井部３０に形成された一対の貫通孔３３にベルト等を通して天井部３０上の物品を締め付ける等といった使用により、所望の物品を簡単にベルトパーティションスタンド１０（支柱体）に安定して支持させることができる。
【００８５】
以上、本発明の具体的な実施形態を説明したが、本発明はこれに限定されるものではなく、発明の思想から逸脱しない範囲内で種々な変更が可能である。本発明に係る支柱体用アタッチメントおよび支柱体への取付構造物装着セットの各部の具体的な構成は、種々に設計変更自在である。
【符号の説明】
【００８６】
Ａ１，Ａ２，Ａ４    支柱体用アタッチメント
Ｂ１，Ｂ１'，Ｂ２，Ｂ３    取付構造物装着セット
Ｏｙ        軸線
ｘ          方向(一対の側方取付部が離間する方向)
１０        ベルトパーティションスタンド（支柱体）
１０’      円柱状支柱（支柱体）
１０"      三角コーン（支柱体）
１１        ベース
１１１      切欠き
１２        支柱部
１３        ベルト収納ヘッド
１３'      上部ヘッド
１３１      ベルト導出部
１３２      ベルトエンド受け部（突起）
１４        パーティションベルト
１４１      ベルトエンド
１５        基台
１６        錐形状部
２０        取付構造物
２１        連結部
２１１      貫通孔
２２        ベース部
２３        押圧部
２４        ねじ部
２５        フレーム
２５１      貫通孔
２６        トレイ
３０        天井部
３１        第１板部
３１１      座ぐり穴
３１２      貫通孔
３２        接続部
３２１      ねじ軸部材
３２２      ナット部材
３３        貫通孔
４０        側方取付部
４０Ａ      薄板部分
４０Ｂ      樹脂成形部分
４１        第２板部
４１ａ      一方の面
４１ｂ      他方の面
４２        係合溝
４３        係止部
４３１      ねじ孔
４４        凸部
５０        屈曲部
５１        ヒンジ部
６１        第３板部
７０        係合部材
７１        基部
７２        突起
７３        取付孔
８０        緩衝部材
８１        結束バンド
９０        パネル
【図１】
2020029751.tif 000003
【図２】
2020029751.tif 000004
【図３】
2020029751.tif 000005
【図４】
2020029751.tif 000006
【図５】
2020029751.tif 000007
【図６】
2020029751.tif 000008
【図７】
2020029751.tif 000009
【図８】
2020029751.tif 000010
【図９】
2020029751.tif 000011
【図１０】
2020029751.tif 000012
【図１１】
2020029751.tif 000013
【図１２】
2020029751.tif 000014
【図１３】
2020029751.tif 000015
【図１４】
2020029751.tif 000016
【図１５】
2020029751.tif 000017
【図１６】
2020029751.tif 000018
【図１７】
2020029751.tif 000019
【図１８】
2020029751.tif 000020
【図１９】
2020029751.tif 000021
【図２０】
2020029751.tif 000022
【図２１】
2020029751.tif 000023
【図２２】
2020029751.tif 000024
【図２３】
2020029751.tif 000025
【図２４】
2020029751.tif 000026
【図２５】
2020029751.tif 000027